(57)【要約】【課題】表示される画像を操作できる表示システム、操作装置及び画像表示装置を提供すること。【解決手段】表示システム１は、表示される画像を供給する画像供給装置（ＰＣ）２と、当該画像を含む表示画像を表示する画像表示装置（プロジェクタ）３と、表示画像において前記画像が設定される表示領域を操作する操作装置（リモコン）４とを備える。操作装置４は、入力操作が行われる操作手段と、前記表示領域を操作する操作信号を生成する信号生成手段と、生成された操作信号を出力する信号出力手段とを備える。画像表示装置３は、画像を受信する画像受信手段（データ受信手段）３１と、操作信号を受信する操作信号受信手段３２と、操作信号に基づいて、表示領域を変動させた表示画像を生成する画像生成手段３５とを備える。【選択図】図９
2010055299.tif 000002
【特許請求の範囲】
【請求項１】
表示される画像を供給する画像供給装置と、
前記画像を含む表示画像を表示する画像表示装置と、
前記表示画像において前記画像が設定される表示領域を操作する操作装置と、を備え、
前記操作装置は、
入力操作が行われる操作手段と、
前記表示領域を操作する操作信号を生成する信号生成手段と、
生成された前記操作信号を出力する信号出力手段と、を備え、
前記画像表示装置は、
前記画像を受信する画像受信手段と、
前記操作信号を受信する操作信号受信手段と、
前記操作信号に基づいて、前記表示領域を変動させた前記表示画像を生成する画像生成手段と、を備えることを特徴とする表示システム。
【請求項２】
表示画像に含まれる画像の表示領域を操作する操作装置であって、
入力操作が行われる操作手段と、
前記操作手段に対する入力操作に応じて、前記表示領域を操作する操作信号を生成する信号生成手段と、
生成された前記操作信号を出力する信号出力手段と、を備えることを特徴とする操作装置。
【請求項３】
請求項２に記載の操作装置において、
前記信号生成手段は、
前記表示領域の伸長及び縮小の少なくともいずれかを行わせる操作信号を生成する領域伸縮信号生成部を備えることを特徴とする操作装置。
【請求項４】
請求項２又は請求項３に記載の操作装置において、
前記信号生成手段は、
前記表示領域の位置を移動させる操作信号を生成する領域移動信号生成部を備えることを特徴とする操作装置。
【請求項５】
請求項２から請求項４のいずれかに記載の操作装置において、
前記表示領域には、前記画像の一部の領域が設定され、
前記信号生成手段は、
前記画像において前記表示領域に設定される前記一部の領域の位置を移動させる操作信号を生成する領域内移動信号生成部を備えることを特徴とする操作装置。
【請求項６】
請求項２から請求項５のいずれかに記載の操作装置において、
前記信号生成手段は、
前記表示領域に設定される前記画像の伸長及び縮小の少なくともいずれかを行わせる操作信号を生成する領域内伸縮信号生成部を備えることを特徴とする操作装置。
【請求項７】
供給される画像を含む表示画像を表示する画像表示装置であって、
前記画像を受信する画像受信手段と、
操作信号を受信する操作信号受信手段と、
前記画像が設定される表示領域を含み、前記操作信号に基づいて当該表示領域を変動させた前記表示画像を生成する画像生成手段と、を備えることを特徴とする画像表示装置。
【請求項８】
請求項７に記載の画像表示装置において、
前記画像生成手段は、前記操作信号に基づいて、前記表示画像における前記表示領域の伸長及び縮小の少なくともいずれかを行う領域伸縮部を備えることを特徴とする画像表示装置。
【請求項９】
請求項７又は請求項８に記載の画像表示装置において、
前記画像生成手段は、前記操作信号に基づいて、前記表示画像における前記表示領域の位置を移動する領域位置設定部を備えることを特徴とする画像表示装置。
【請求項１０】
請求項７から請求項９のいずれかに記載の画像表示装置において、
前記画像生成手段は、前記操作信号に基づいて、前記画像において前記表示領域に設定される領域の位置を移動する画像位置設定部を備えることを特徴とする画像表示装置。
【請求項１１】
請求項７から請求項１０のいずれかに記載の画像表示装置において、
前記画像生成手段は、前記操作信号に基づいて、前記表示領域に設定される前記画像の伸長及び縮小の少なくともいずれかを行う画像伸縮部を備えることを特徴とする画像表示装置。
【発明の詳細な説明】
【技術分野】
【０００１】
本発明は、画像供給装置、画像表示装置及び操作装置を備える表示システム、当該操作装置並びに画像表示装置に関する。
【背景技術】
【０００２】
従来、ＰＣ（Personal Computer）等の画像供給装置から供給された画像を表示する画像表示装置として、各種ディスプレイやプロジェクタが知られている。このうち、プロジェクタは、会議やプレゼンテーション等に用いられることが多いため、遠隔操作できることが特に望まれている。このような要望から、プロジェクタと、当該プロジェクタを遠隔操作するリモコンとを備えたプロジェクタシステムが知られている（例えば、特許文献１参照）。
【０００３】
この特許文献１に記載のプロジェクタシステムでは、リモコンは、ズームボタン、十字キー、選択ボタン及び決定ボタン等の操作用ボタンにより構成される操作部と、液晶パネルにより構成された表示部とを備えている。このうち、表示部は、操作部に対する入力操作に応じた操作画面（操作メニュー）を表示する。そして、ズームボタンが入力され、リモコンから赤外線信号が送信されると、プロジェクタは、投射画像を拡大又は縮小する。また、リモコンの操作画面にて、例えば、ズーム調整、フォーカス調整及び台形補正等の設定が行われると、当該リモコンから赤外線信号が送信され、プロジェクタは、当該赤外線信号に応じた処理を実行する。このようにして、特許文献１のプロジェクタシステムでは、プロジェクタによる表示画像の画質調整等を、リモコンにより行うことができる。
【０００４】
【特許文献１】特開２００６−１６２９２４号公報
【発明の開示】
【発明が解決しようとする課題】
【０００５】
しかしながら、特許文献１に記載のプロジェクタシステムでは、リモコンにより操作可能なプロジェクタの機能は、当該プロジェクタにより表示される画像の画質等に限定されているため、当該画像自体を操作することができないという問題がある。すなわち、当該プロジェクタシステムでは、プロジェクタにより投射される投射画像に含まれる画像のうち、所定の画像（例えば、所定の画像供給装置から供給される画像）を操作可能なものではない。このため、投射画像に含まれる画像を操作することができ、画像の表示自由度を向上することができる構成が要望されてきた。
【０００６】
本発明の目的は、表示される画像を操作することができる表示システム、操作装置及び画像表示装置を提供することである。
【課題を解決するための手段】
【０００７】
前記した目的を達成するために、本発明の表示システムは、表示される画像を供給する画像供給装置と、前記画像を含む表示画像を表示する画像表示装置と、前記表示画像において前記画像が設定される表示領域を操作する操作装置と、を備え、前記操作装置は、入力操作が行われる操作手段と、前記表示領域を操作する操作信号を生成する信号生成手段と、生成された前記操作信号を出力する信号出力手段と、を備え、前記画像表示装置は、前記画像を受信する画像受信手段と、前記操作信号を受信する操作信号受信手段と、前記操作信号に基づいて、前記表示領域を変動させた前記表示画像を生成する画像生成手段と、を備えることを特徴とする。
【０００８】
本発明によれば、画像表示装置により表示される表示画像において、画像供給装置から供給された画像が設定される表示領域を操作する操作信号が、操作装置により生成及び出力される。この操作信号に応じて、画像表示装置は、当該表示領域を当該操作信号に基づいて変動させる。
これによれば、表示される画像自体を操作することや、当該画像が設定される表示領域を操作することができる。従って、画像供給装置から供給される画像を操作することができ、画像表示装置による画像の表示自由度を向上することができるので、使い勝手のよい表示システムを構築することができる。
【０００９】
また、本発明の操作装置は、表示画像に含まれる画像の表示領域を操作する操作装置であって、入力操作が行われる操作手段と、前記操作手段に対する入力操作に応じて、前記表示領域を操作する操作信号を生成する信号生成手段と、生成された前記操作信号を出力する信号出力手段と、を備えることを特徴とする。
【００１０】
本発明によれば、供給された画像を表示する画像表示装置に対して、本発明の操作装置を採用することにより、前述の表示システムと同様の効果を奏することができる。
すなわち、操作装置が、操作手段に対する入力操作に応じた操作信号を生成及び出力することにより、画像表示装置に供給されて表示される画像の表示領域を操作することができる。従って、当該画像を操作することができ、画像表示装置による当該画像の表示自由度を向上することができる。
【００１１】
本発明では、前記信号生成手段は、前記表示領域の伸長及び縮小の少なくともいずれかを行わせる操作信号を生成する領域伸縮信号生成部を備えることが好ましい。
本発明によれば、領域伸縮信号生成部により、表示画像において画像供給装置から供給された画像の表示領域を伸長又は縮小させる操作信号が生成される。これによれば、画像表示装置により、当該操作信号に応じた表示領域の伸長又は縮小を行うことができるので、当該画像の表示自由度を一層向上することができる。従って、例えば、プレゼンテーション等において、使用者が提示する画像が設定される表示領域を拡大することで、参加者に対して当該画像をアピールすることができるほか、議題から外れた画像が設定される表示領域を縮小することで、表示画像に含まれる画像を整理することができる。
【００１２】
本発明では、前記信号生成手段は、前記表示領域の位置を移動させる操作信号を生成する領域移動信号生成部を備えることが好ましい。
本発明によれば、領域移動信号生成部により、表示画像において表示領域の位置を移動させる操作信号が生成される。これによれば、画像表示装置により、当該操作信号に応じた表示領域の位置の移動を行うことができる。従って、画像の表示自由度を一層向上することができる。
【００１３】
ここで、表示画像においては、上方及び中央は注目度が高いが、下方及び左右両端は注目度が低い。従って、プレゼンテーションの場において、操作手段を操作して、例えば、表示領域を上方又は中央に位置させることで、当該表示領域に設定される画像を参加者に注目させることができる。また、複数の画像供給装置から画像が供給され、当該画像が設定される各表示領域が重ね合わされずに、それぞれ個別に表示される場合には、所望の表示領域を移動させることで、当該表示領域の画像を注目させることができるとともに、他の表示領域の画像を確認することができる。
【００１４】
本発明では、前記表示領域には、前記画像の一部の領域が設定され、前記信号生成手段は、前記画像において前記表示領域に設定される前記一部の領域の位置を移動させる操作信号を生成する領域内移動信号生成部を備えることが好ましい。
本発明によれば、領域内移動信号生成部により、画像の一部の領域が表示領域に設定されている場合に、当該表示領域に設定される一部の領域の位置を当該画像において移動させる操作信号が生成される。これによれば、画像表示装置により、表示領域内に設定される当該一部の領域を、当該画像において移動させることができる。従って、例えば、所定の画像供給装置から供給された画像において、表示領域内に設定されて表示される領域の位置を操作することができるので、当該画像の表示自由度を一層向上することができる。そして、これにより、表示領域の寸法が小さく、画像の解像度が大きいなど、表示領域内に当該画像が収まらない場合でも、当該画像において表示領域内に設定される一部の領域を移動させることにより、当該画像全体を閲覧することができる。
【００１５】
本発明では、前記信号生成手段は、前記表示領域に設定される前記画像の伸長及び縮小の少なくともいずれかを行わせる操作信号を生成する領域内伸縮信号生成部を備えることが好ましい。
本発明によれば、領域内伸縮信号生成部により、表示領域に設定される画像を伸長（拡大）又は縮小させる操作信号が生成される。これによれば、画像表示装置により、表示領域内には、当該表示領域に設定されていた画像を当該操作信号に応じて伸長（拡大）又は縮小させた画像が新たに設定される。従って、伸長又は縮小させ、倍率を変更させた画像を表示することができるので、当該画像の表示自由度を一層向上することができる。また、表示領域の寸法が小さく、画像の解像度が大きい場合でも、当該画像を縮小する操作を行うことにより、当該画像全体を閲覧することができる。更に、表示領域に設定される画像を拡大表示することにより、当該画像の詳細を閲覧することができる。
【００１６】
また、本発明の画像表示装置は、供給される画像を含む表示画像を表示する画像表示装置であって、前記画像を受信する画像受信手段と、操作信号を受信する操作信号受信手段と、前記画像が設定される表示領域を含み、前記操作信号に基づいて当該表示領域を変動させた前記表示画像を生成する画像生成手段と、を備えることを特徴とする。
本発明によれば、例えば、前述の操作装置により操作信号を出力し、本発明の画像表示装置が当該操作信号に応じて動作することで、前述の表示システムと同様の効果を奏することができる。
すなわち、画像表示装置が、受信された操作信号に応じて、供給される画像の表示領域を変動させることにより、当該画像を操作することができ、画像の表示自由度を向上することができる。
【００１７】
本発明では、前記画像生成手段は、前記操作信号に基づいて、前記表示画像における前記表示領域の伸長及び縮小の少なくともいずれかを行う領域伸縮部を備えることが好ましい。
本発明によれば、領域伸縮部が、受信された操作信号に基づいて、表示領域を伸長又は伸縮する。これによれば、画像表示装置により表示される表示画像に含まれ、かつ、供給される画像が表示される表示領域の伸長又は縮小を行うことができるので、表示画像における当該画像の占める割合を変動することができる。従って、前述の操作装置と同様に、当該画像の表示自由度を一層向上することができる。
【００１８】
本発明では、前記画像生成手段は、前記操作信号に基づいて、前記表示画像における前記表示領域の位置を移動する領域位置設定部を備えることが好ましい。
本発明によれば、領域位置設定部により、表示画像において、受信された操作信号に基づく位置に表示領域を移動させることができる。従って、前述の操作装置と同様に、例えば、当該表示領域を注目度の高い位置や低い位置に移動することができ、画像の表示自由度を一層向上することができる。
【００１９】
本発明では、前記画像生成手段は、前記操作信号に基づいて、前記画像において前記表示領域に設定される領域の位置を移動する画像位置設定部を備えることが好ましい。
本発明によれば、供給される画像の一部の領域が表示領域に設定されている場合に、画像位置設定部が、当該表示領域に設定される一部の領域を、当該供給される画像において移動させる。これによれば、供給される画像において、表示領域内に設定されて表示される領域の位置を移動させることができる。従って、前述の操作装置と同様に、画像の表示自由度を一層向上することができ、例えば、表示領域内に画像が収まらない場合でも、当該表示領域内に設定される画像の領域を移動させることにより、当該画像全体を閲覧することができる。
【００２０】
本発明では、前記画像生成手段は、前記操作信号に基づいて、前記表示領域に設定される前記画像の伸長及び縮小の少なくともいずれかを行う画像伸縮部を備えることが好ましい。
本発明によれば、画像伸縮部により、操作信号に応じて伸長（拡大）又は縮小された画像が表示領域に設定される。これによれば、表示領域を伸長又は縮小させることなく、当該表示領域に、伸長又は縮小して、倍率を変更した画像を設定及び表示することができる。従って、前述の操作装置と同様に、供給される画像の表示自由度を一層向上することができる。また、これにより、例えば、画像の解像度が大きい場合でも、当該画像を縮小させて画像全体を閲覧することができるほか、当該画像を拡大させて、当該画像の詳細を閲覧することができる。
【発明を実施するための最良の形態】
【００２１】
〔１．第１実施形態〕
以下、本発明の第１実施形態を図面に基づいて説明する。
〔表示システムの構成〕
図１は、本実施形態に係る表示システム１の構成を示す図である。
本実施形態の表示システム１は、図１に示すように、画像供給装置としてのパソコン（Personal Computer：以下、「ＰＣ」と略す）２と、当該ＰＣ２から供給される画像を含む１画面分の画像（表示画像）をスクリーンＳＣ上に表示するプロジェクタ３と、当該ＰＣ２に接続され、かつ、プロジェクタ３を遠隔操作する操作装置としてのリモコン４とを備えて構成されている。
【００２２】
このうち、ＰＣ２及びプロジェクタ３は、本実施形態では、有線ＬＡＮ（Local Area Network）により通信接続されるが、無線ＬＡＮによってもよい。また、リモコン４は、本実施形態では、ＵＳＢ（Universal Serial Bus）によりＰＣ２に接続されているが、他の形式（例えば、ＲＳ−２３２Ｃ等）により接続されていてもよい。更に、リモコン４は、プロジェクタ３に無線ＬＡＮにより操作信号を送信する構成とされているが、操作信号としての赤外線を出力する構成や、Ｂｌｕｅｔｏｏｔｈ（登録商標）等により操作信号を送信する構成としてもよい。
【００２３】
〔ＰＣの構成〕
図２は、ＰＣ２の構成を示すブロック図である。
ＰＣ２は、リモコン４が接続された際に、プロジェクタ３に画像（画像データ）をパケット送信する。このＰＣ２は、図２に示すように、通信接続部２１、データ生成部２２、接続判定部２３、データ出力部２４及び画像表示部２５を備えるほか、図示を省略するが、キーボード及びポインティングデバイス等の操作手段を備えている。
【００２４】
通信接続部２１は、予め設定されたＩＰ（Internet Protocol）アドレス等の接続情報に基づいて、プロジェクタ３との通信接続を確立する。また、ＰＣ２にリモコン４が接続された場合に、通信接続部２１は、当該リモコン４との通信接続を確立する。
データ生成部２２は、ＰＣ２の動作画像の画像データを生成する。この動作画像は、例えば、ＰＣ２にて動作するＯＳ（Operating System）の画像や、実行中のアプリケーションの画像が含まれる。
接続判定部２３は、リモコン４が接続されているか否かを判定する。
【００２５】
データ出力部２４は、データ生成部２２により生成されたＰＣ２の動作画像の画像データを画像表示部２５に出力する。また、データ出力部２４は、接続判定部２３によりリモコン４が接続されたと判定された場合に、動作画像の画像データ、或いは、選択された実行中のアプリケーションの画像データをプロジェクタ３に出力する。これら出力される画像データの種別は、使用者により適宜選択される。
また、データ出力部２４は、接続判定部２３により、リモコン４との接続が切断された（リモコン４が取り外された）と判定された場合に、プロジェクタ３への画像の出力を停止し、画像の供給を停止した旨の信号をプロジェクタ３に出力する。
画像表示部２５は、図示を省略するが、液晶パネルと、当該液晶パネルを駆動するドライバとを備えて構成され、入力される画像データに応じてドライバが液晶パネルを動作させることにより、当該液晶パネルにてＰＣ２の動作画像が表示される。
【００２６】
〔リモコンの外観構成〕
図３は、リモコン４の外観構成を示す図である。
リモコン４は、前述のようにＰＣ２に接続され、当該ＰＣ２から供給される電力により駆動して、プロジェクタ３に操作信号を出力する。具体的に、リモコン４は、当該ＰＣ２から供給される画像を操作するための操作信号を、プロジェクタ３に出力する。このリモコン４は、図３に示すように、キー４１１，４１２により構成される操作手段４１を備えている。
【００２７】
図３における上部に配されたキー４１１は、上下左右及び斜方に押下可能なカーソルキーである。このキー４１１は、詳しくは後述するが、リモコン４が接続されたＰＣ２から供給される画像（供給画像）における一部の領域が表示されている場合に、当該一部の領域が供給画像に占める位置を移動させる際に用いられる。すなわち、キー４１１が押下されると、表示される領域を供給画像において移動させる操作信号（後述する領域内移動信号）が、リモコン４から出力される。
【００２８】
キー４１２は、図３における左側及び右側に押下可能なキーである。
キー４１２は、表示される画像の縮小及び拡大を行う際に用いられる。具体的には、キー４１２の左側が押下されると、現在表示されている画像の中央を中心として縮小させる操作信号（換言すると、表示される一部の領域を供給画像において拡大させる操作信号であり、後述する領域縮小信号）が、リモコン４から出力される。また、キー４１２の右側が押下されると、当該画像の中央を中心として伸長（拡大）させる操作信号（換言すると、表示される一部の領域を供給画像において縮小させる操作信号であり、後述する領域伸長信号）が、リモコン４から出力される。
【００２９】
〔表示システムの動作〕
図４〜図７は、表示システム１（詳しくはプロジェクタ３）により表示される表示画像ＤＩを示す遷移図である。
ここで、表示システム１により表示される表示画像について、先に説明する。
【００３０】
〔ＰＣにリモコンを接続する場合〕
図４は、ＰＣ２にリモコン４が接続された場合の表示画像ＤＩを示す遷移図である。
プロジェクタ３と、リモコン４が接続されていない状態のＰＣ２との接続が確立されただけでは、前述のように、ＰＣ２から画像が供給されないので、図４（Ａ）に示すように、プロジェクタ３は黒画像を表示している。
【００３１】
この状態で、ＰＣ２にリモコン４が接続されると、ＰＣ２からプロジェクタ３への画像の供給が開始され、図４（Ｂ）〜図４（Ｅ）に示すように、表示画像ＤＩの中央から、ＰＣ２に割り当てられた表示領域Ａが左右に広がり、かつ、当該表示領域Ａ内の画像が伸長（拡大）されるようにして、当該ＰＣ２の画像Ｉｍが表示される。この際、表示領域Ａは、操作中（アクティブ）であることを示すために、太線で囲まれる。そして、この状態では、プロジェクタ３に画像を供給する画像供給装置はＰＣ２のみであるので、表示領域Ａは、プロジェクタ３の表示画像ＤＩ全体にまで広がり、図４（Ｅ）に示すように、表示領域Ａの太線は、表示領域Ａの伸長が完了すると、所定時間経過後に非表示となる。なお、このような太線に代えて、所定の色で点灯又は点滅する枠線としてもよい。
【００３２】
〔表示領域内の画像を伸縮する場合〕
図５は、表示領域Ａに設定される画像Ｉｍを伸縮する場合の表示画像ＤＩを示す遷移図である。
キー４１２（図３参照）の右側が押下された場合には、当該表示領域Ａ内の画像Ｉｍが伸長（拡大）される。具体的に、図５（Ａ）に示されるように、表示画像ＤＩ全体に、ＰＣ２に対応する表示領域Ａが設定され、当該表示領域ＡにＰＣ２から供給された画像Ｉｍが表示されている際に、キー４１２の右側が押下されると、図５（Ｂ）に示すように、表示領域Ａが太線で囲まれるとともに、表示領域Ａ内の画像Ｉｍが、当該画像Ｉｍの中央を中心として拡大（ズームイン）される。更に、キー４１２の右側が押下されると、図５（Ｃ）に示すように、当該画像Ｉｍは限界まで拡大される。そして、キー４１２の押下が所定時間中断されると、図５（Ｄ）に示すように、表示領域Ａを囲む太線は非表示となる。
【００３３】
一方、リモコン４のキー４１２の左側が押下された場合には、表示領域Ａ内の画像Ｉｍが縮小される。
例えば、図５（Ｄ）に示した状態から、リモコン４のキー４１２の左側が押下された場合には、図５（Ｃ）に示したように、表示領域Ａが太線で囲まれ、図５（Ｂ）に示したように、画像Ｉｍの中央を中心として、当該画像Ｉｍが縮小（ズームアウト）される。そして、更にキー４１２の左側が押下されると、当該画像Ｉｍは限界まで縮小され、キー４１２の押下が所定時間中断されると、図５（Ａ）に示したように、表示領域Ａを囲む太線は非表示となる。
なお、画像が限界まで伸長及び縮小されている場合に、当該画像を更に伸長及び縮小する操作を行っても、当該操作は無視される。
【００３４】
〔表示領域内の画像の位置を移動させる場合〕
図６は、表示領域Ａに設定される画像Ｉｍの位置を移動する場合の表示画像ＤＩを示す遷移図である。
ＰＣ２から供給された画像（供給画像）のうちの一部が表示されている際に、キー４１１が押下された場合には、当該キー４１１の押下方向に応じて、表示領域Ａ内に設定される供給画像に占める領域が移動される。すなわち、キー４１１の押下方向に応じて、供給画像において表示される画像の領域が移動される。
【００３５】
例えば、図６（Ａ）に示すように、ＰＣ２からの供給画像の一部である画像Ｉｍが表示領域Ａに設定された表示画像ＤＩの表示中に、キー４１１における右斜め下の領域が押下された場合には、供給画像において画像Ｉｍが占める領域が、当該画像Ｉｍの中央を中心として右斜め下に移動される。これにより、図６（Ｂ）に示すように、表示領域Ａ内には、供給画像において図６（Ａ）で示した領域より右斜め下の領域に対応する画像Ｉｍが表示される。逆に、図６（Ａ）に示した状態からキー４１１が左斜め上の領域が押下された場合には、供給画像において画像Ｉｍが占める領域が左斜め上に移動され、これにより、図６（Ｃ）に示すように、表示領域Ａ内には、供給画像において図５（Ａ）で示した領域より左斜め上の領域に対応する画像Ｉｍが表示される。なお、前述の画像の伸縮の場合と同様に、キー４１１が押下されている間は、表示領域Ａは太線で囲まれ、キー４１１の押下が所定時間中断されると、所定時間経過後に、当該太線は非表示となる。
【００３６】
〔ＰＣからリモコンを取り外す場合〕
図７は、ＰＣ２からリモコン４が取り外された場合の表示画像ＤＩを示す遷移図である。
図７（Ａ）に示すように、ＰＣ２からの画像のみをプロジェクタ３が表示している際に、当該ＰＣ２からリモコン４が取り外されると、ＰＣ２は、プロジェクタ３への画像供給を停止するとともに、画像供給を停止した旨の信号をプロジェクタ３に出力する。この場合、図７（Ｂ）〜図７（Ｃ）に示すように、表示領域Ａは、表示画像ＤＩの左右両端から中央に向かって狭められるように縮小し、最終的に、図７（Ｄ）に示すように、当該表示領域Ａは表示画像ＤＩから消える。この場合、プロジェクタ３に画像データを供給する画像供給装置が無いので、表示画像ＤＩは黒画像となる。
【００３７】
〔リモコンの内部構成〕
図８は、リモコン４の構成を示すブロック図である。
以上のような表示画像ＤＩに含まれる表示領域の操作（当該表示領域に設定される画像の操作を含む）を行うリモコン４は、外部に露出して設けられた操作手段４１の他に、図８に示すように、信号生成手段４２及び信号出力手段４３を備えている。
このうち、信号出力手段４３は、信号生成手段４２により生成された各操作信号を、プロジェクタ３に出力する。
【００３８】
信号生成手段４２は、操作手段４１の各キー４１１，４１２の押下（入力）に応じた操作信号を生成する。この信号生成手段４２は、領域内移動信号生成部４２１及び領域内伸縮信号生成部４２２を備えている。
領域内移動信号生成部４２１は、キー４１１が押下された際に、前述の供給画像において、表示領域に設定される領域の位置を移動させる操作信号（領域内移動信号）を生成する。この領域内移動信号には、キー４１１の押下方向に応じて、当該領域を移動させる方向を示す情報が含まれる。
【００３９】
領域内伸縮信号生成部４２２は、キー４１２の右側が押下された際に、操作対象の表示領域に設定される画像を伸長させる操作信号（領域内伸長信号）を生成し、また、キー４１２の左側が押下された際に、当該画像を縮小させる操作信号（領域内縮小信号）を生成する。
これら各信号生成部４２１，４２２は、前述の各信号に、操作対象の表示領域を特定するための領域特定情報を含めて生成する。このような領域特定情報としては、例えば、リモコン４が接続されたＰＣ２の固有情報（例えば、ＩＰアドレス）が挙げられる。
【００４０】
〔プロジェクタの構成〕
図９は、プロジェクタ３の構成を示すブロック図である。
プロジェクタ３は、本発明の画像表示装置に相当し、前述のように、ＰＣ２から供給される画像を含む１画面分の表示画像を生成及び表示する。このプロジェクタ３は、図９に示すように、データ受信手段３１、操作信号受信手段３２、制御手段３３、画像表示手段３４及び画像生成手段３５を備えている。
【００４１】
データ受信手段３１は、本発明の画像受信手段に相当し、有線ＬＡＮモジュールで構成され、通信接続が確立されたＰＣ２からパケットとして送信される画像等の各種データを受信して、画像生成手段３５に出力する。また、データ受信手段３１は、各ＰＣ２から、画像データの供給を停止した旨の信号を受信する。
操作信号受信手段３２は、リモコン４から送信される操作信号を受信して、当該操作信号を画像生成手段３５に出力する。なお、本実施形態においては、リモコン４とプロジェクタ３とが無線ＬＡＮにより通信するので、操作信号受信手段３２は、無線ＬＡＮモジュールにより構成されている。
制御手段３３は、図示しない記憶手段に記憶された各種プログラム及びデータに基づいて、プロジェクタ３全体を制御する。
【００４２】
画像表示手段３４は、画像生成手段３５から画像信号として入力される駆動信号に応じた画像光を形成及び投射して、スクリーンＳＣ上に前述の表示画像ＤＩを表示する。この画像表示手段３４は、光源装置３４１、光変調装置３４２及び投射光学装置３４３を備えている。
光源装置３４１は、高圧水銀ランプ等の光源ランプ或いはＬＥＤ等の固体光源と、反射鏡であるリフレクタとを備え、光変調装置３４２に光束を照射する。
【００４３】
光変調装置３４２は、図示を省略するが、光源装置３４１から射出された光束を変調して画像光を形成する液晶パネルと、入力される駆動信号に応じて液晶パネルを駆動するドライバとを備えて構成されている。なお、光変調装置３４２は、液晶パネルを備える構成に限定されるものではなく、例えば、マイクロミラーを用いたデバイス等、液晶以外の構成を採用してもよい。
投射光学装置３４３は、光変調装置３４２により形成された画像光を投射面上に拡大投射するものであり、鏡筒と、当該鏡筒内に収納される複数のレンズとを備えた組レンズとして構成されている。
【００４４】
画像生成手段３５は、表示画像ＤＩ（正確には、当該表示画像ＤＩの画像データ）を生成し、当該表示画像ＤＩに応じた駆動信号を画像表示手段３４に出力する。この画像生成手段３５は、入力判定部３５１、領域設定部３５２、パケット解析部３５３、画像設定部３５４、信号判定部３５５、対象領域設定部３５６、表示画像生成部３５７、画像信号出力部３５８及び記憶部３５９を備えている。
このうち、記憶部３５９は、ＰＣ２から供給された画像が展開されるとともに、表示画像ＤＩが生成されるフレームバッファを備えている。
【００４５】
入力判定部３５１は、データ受信手段３１を介して、ＰＣ２から画像が供給されたか否かを判定する。
領域設定部３５２は、入力判定部３５１により、画像が供給されたと判定された場合に、当該画像が設定される前述の表示領域を、表示画像ＤＩ上に設定する。具体的に、領域設定部３５２は、記憶部３５９のフレームバッファ上に当該画像を展開する供給画像領域を設定するとともに、表示画像ＤＩが生成されるフレームバッファ上の表示画像領域内に、当該画像が設定される設定領域を設定する。この表示画像領域における設定領域は、表示画像ＤＩにおける表示領域に対応する。なお、本実施形態では、プロジェクタ３に接続されたＰＣ２が１台であるので、領域設定部３５２は、表示画像領域全体に設定領域を設定する。
【００４６】
パケット解析部３５３は、パケットとして入力されたデータを解析して、送信元情報等が含まれるヘッダ部と、供給画像が含まれるデータ部とを分離し、当該ヘッダ情報から送信元情報を取得するとともに、当該データ部から画像を取得する。すなわち、パケット解析部３５３により、取得された画像がどのＰＣ２から供給された画像であるのかが解析される。
【００４７】
画像設定部３５４は、パケット解析部３５３により取得された画像を、フレームバッファの供給画像領域に展開するとともに、表示画像領域に設定された設定領域に当該画像を展開する。この際、画像設定部３５４は、取得された画像の中央を中心とし、かつ、表示画像領域の上下の寸法に応じてリサイズした画像を、対応する設定領域に展開する。このため、取得された画像の解像度、及び、設定領域のサイズによっては、当該画像の左右の一部が欠けた部分画像が、当該設定領域に展開される。
【００４８】
信号判定部３５５は、操作信号受信手段３２により受信された操作信号に含まれる領域特定情報を取得し、当該領域特定情報に基づいて、どの表示領域が操作対象であるのかを判定する。
対象領域設定部３５６は、信号判定部３５５による判定に基づいて、表示画像ＤＩに設定された表示領域（表示画像領域に設定された設定領域）のうち、少なくともいずれかを操作対象に設定する。なお、本実施形態では、プロジェクタ３に接続されたＰＣ２が１台であるので、対象領域設定部３５６は、表示画像領域全体に設定された設定領域（表示画像ＤＩ全体に設定された表示領域）を対象領域に設定する。
【００４９】
表示画像生成部３５７は、フレームバッファの供給画像領域に展開された画像、及び、受信された操作信号に基づいて、表示画像領域に設定された設定領域を操作して、表示領域を変動させた表示画像ＤＩを生成する。この表示画像生成部３５７は、アニメーション生成部３５７１、画像伸縮部３５７２及び画像位置設定部３５７３を備えている。
【００５０】
アニメーション生成部３５７１は、前述のように、リモコン４がＰＣ２に接続され、当該ＰＣ２から画像が供給され始めた際に、図４に示した表示画像ＤＩのアニメーションを、表示画像領域に生成する。また、アニメーション生成部３５７１は、入力判定部３５１により、画像データの供給を停止した旨の信号がＰＣ２から入力されたと判定された場合に、図７に示した表示画像ＤＩのアニメーションを、表示画像領域に生成する。
【００５１】
画像伸縮部３５７２は、受信された操作信号が領域内伸長信号である場合に、図５に示したように、操作対象の表示領域内の画像を伸長（拡大）する。具体的に、画像伸縮部３５７２は、供給画像領域に展開された画像において、表示領域内に設定されていた領域より縮小した領域の画像を取得及びリサイズし、当該画像を操作対象の設定領域内に設定する。
また、画像伸縮部３５７２は、受信された操作信号が領域内縮小信号である場合に、供給画像領域に展開された画像において、表示領域内に設定されていた領域より拡大した領域の画像を取得及びリサイズし、当該画像を操作対象の設定領域内に設定する。
なお、このような画像伸縮部３５７２は、表示領域に設定される画像が最大まで伸長されている場合には、領域内伸長信号を無視し、また、表示領域に設定される画像が最小まで縮小されている場合には、領域内縮小信号を無視する。
【００５２】
画像位置設定部３５７３は、受信された操作信号が領域内移動信号である場合に、図６に示したように、供給画像領域に展開された画像において、表示領域内に設定されていた画像が占める領域の位置を、当該領域内移動信号に含まれる移動方向に沿って移動させ、移動させた後の当該領域内の画像を取得して設定領域に設定する。これにより、操作対象の表示領域内には、図６に示したように、ＰＣ２から取得された画像において表示される領域が移動される。なお、画像位置設定部３５７３は、操作対象の表示領域に表示されている画像と、ＰＣ２から供給された画像とが同じである場合には、領域内移動信号を無視する。
【００５３】
画像信号出力部３５８は、表示画像領域に展開されている表示画像ＤＩに応じた駆動信号を画像表示手段３４に出力する。この駆動信号に基づいて、画像表示手段３４の光変調装置３４２が、光源装置３４１から射出された光束を変調することで、表示画像ＤＩの画像光が形成され、当該画像光が投射光学装置３４３により投射されることで、当該表示画像ＤＩがスクリーンＳＣ上に表示される。
【００５４】
以上説明した本実施形態の表示システム１によれば、以下の効果がある。
リモコン４に対する入力操作に応じて、領域内移動信号生成部４２１が領域内移動信号を、領域内伸縮信号生成部４２２が領域内伸長信号及び領域内縮小信号を生成する。そして、これら各操作信号は、プロジェクタ３に送信され、当該プロジェクタ３の画像生成手段３５により、操作対象の表示領域に設定される画像の移動、及び、当該画像の伸縮が行われた表示画像ＤＩが生成される。これによれば、ＰＣ２から供給される画像を、リモコン４により操作することができる。従って、表示画像ＤＩの表示自由度を向上することができ、使い勝手のよい表示システム１を構築することができる。
【００５５】
〔２．第２実施形態〕
次に、本発明の第２実施形態を説明する。
本実施形態に係る表示システムは、前述の表示システム１と同様の構成を備えるが、当該表示システム１では、プロジェクタ３と通信し、かつ、リモコン４が接続されたＰＣ２が１台であったのに対し、本実施形態に係る表示システムでは、プロジェクタに複数台のＰＣが接続されている点で、当該表示システムと表示システム１とは相違する。なお、以下の説明では、既に説明した部分と同一または略同一である部分については、同一の符号を付して説明を省略する。
【００５６】
図１０は、本実施形態に係る表示システム１Ａの構成を示す図である。
表示システム１Ａは、複数のＰＣ２（２Ａ〜２Ｅ）と、当該各ＰＣ２に接続されるリモコン５（ＰＣ２Ａ〜ＰＣ２Ｅに接続される各リモコンを、それぞれ５Ａ〜５Ｅとする）と、各ＰＣ２から供給される画像を含む表示画像ＤＩを表示するプロジェクタ３Ａとを備えている。なお、各ＰＣ２と各リモコン５とは、前述のリモコン４と同様に、ＵＳＢ接続されている。
【００５７】
〔リモコンの構成〕
図１１は、リモコン５の外観構成を示す図である。
リモコン５の操作手段５１は、前述の操作手段４１の構成に、キー５１３，５１４が追加構成されている点が異なる。
キー５１３，５１４は、図１１における左側及び右側に押下可能なキーである。
このうち、キー５１３は、表示画像ＤＩに設定された表示領域のうち、リモコン５に対応するＰＣ２からの画像が設定される表示領域の縮小及び伸長（拡大）を行う際に用いられる。具体的には、キー５１３の左側が押下されると、当該表示領域を縮小させる操作信号（後述する領域縮小信号）が、また、キー５１３の右側が押下されると、当該表示領域を伸長させる操作信号（後述する領域伸長信号）が、リモコン５から出力される。
【００５８】
キー５１４は、複数の表示領域が表示画像ＤＩに設定されている場合に、リモコン５に対応するＰＣ２からの画像が設定される表示領域の位置を移動させる際に用いられる。具体的に、キー５１４の左側が押下されると、対応する表示領域の位置を表示画像ＤＩにおいて左側に移動させる操作信号（後述する領域移動信号）が、また、キー５１４の右側が押下されると、対応する表示領域の位置を表示画像ＤＩにおいて右側に移動させる操作信号（同じく領域移動信号）が、リモコン５から出力される。なお、詳しくは後述するが、対応する表示領域が表示画像ＤＩにおける右端に位置している場合にキー５１４の右側が押下されると、当該表示領域の位置が表示画像ＤＩの左端に割り込まれ、他の表示領域は右側に押しやられるように移動する。また、対応する表示領域が表示画像ＤＩにおける左端に位置している場合にキー５１４の左側が押下されると、当該表示領域の位置が表示画像ＤＩの右端に割り込まれ、他の表示領域は左側に押しやられるように移動する。
【００５９】
図１２は、リモコン５の構成を示すブロック図である。
リモコン５は、前述のリモコン４の構成に、領域伸縮信号生成部５２３及び領域移動信号生成部５２４が追加構成されている。具体的に、リモコン５は、前述の信号生成部４２１，４２２の他、当該信号生成部５２３，５２４を有する信号生成手段５２を備える。
【００６０】
領域伸縮信号生成部５２３は、キー５１３の右側が押下された際に、操作対象の表示領域を伸長させる操作信号（領域伸長信号）を生成し、また、キー５１３の左側が押下された際に、当該表示領域を縮小させる操作信号（領域縮小信号）を生成する。
領域移動信号生成部５２４は、操作対象の表示領域を表示画像ＤＩにおいて移動させる操作信号（領域移動信号）を生成する。なお、この領域移動信号には、キー５１４の右側が押下された際には、当該表示領域の移動方向として右方向を示す情報が含まれ、キー５１４の左側が押下された際には、当該表示領域の移動方向として左方向を示す情報が含まれる。
これら各信号生成部５２３，５２４は、前述の各信号生成部４２１，４２２と同様に、操作対象の表示領域を特定するための前述の領域特定情報を含めた各操作信号を生成する。そして、これら各信号生成部４２１，４２２，５２３，５２４により生成された各操作信号は、信号出力手段５３によりプロジェクタ３Ａに出力される。
【００６１】
〔表示システムの動作〕
図１３〜図２１は、表示システム１Ａ（詳しくはプロジェクタ３Ａ）により表示される表示画像ＤＩを示す遷移図である。なお、図１３〜図２１では、ＰＣ２Ａ〜ＰＣ２Ｅからの画像を「Ａ」〜「Ｅ」で示し、以下の説明では、当該各画像が設定される表示領域をＡＡ〜ＡＥで示す。
以下、表示システム１Ａによる表示画像ＤＩについて、説明する。
【００６２】
〔ＰＣにリモコンを接続する場合〕
表示システム１Ａは、前述の表示システム１と同様の構成を備えているので、プロジェクタ３Ａに接続されたＰＣ２のうち、ＰＣ２Ａにリモコン５Ａが接続された場合には、図４（Ａ）〜（Ｅ）に示したように、ＰＣ２Ａに応じた表示領域ＡＡが略中央から左右に広がり、かつ、当該表示領域ＡＡに設定されたＰＣ２Ａの画像ＩｍＡが伸長するように、表示画像ＤＩが表示される。
【００６３】
図１３は、図４（Ｅ）に示した状態からＰＣ２Ｂにリモコン５Ｂが接続された場合の表示画像ＤＩを示す遷移図である。
図１３（Ａ）に示すように、ＰＣ２Ａからの画像ＩｍＡをプロジェクタ３Ａが表示している際に、ＰＣ２Ｂにリモコン５Ｂが新たに接続されると、当該ＰＣ２Ｂからプロジェクタ３Ａへの画像の供給が開始される。この際、図１３（Ｂ）〜図１３（Ｃ）に示すように、当該ＰＣ２Ｂに割り当てられた表示領域ＡＢが、表示画像ＤＩの右端に出現し、当該表示領域ＡＢは、表示領域ＡＡを左側に押しやるように、表示画像ＤＩの右側から中央に向かって伸長する。この際、表示領域ＡＢは、操作中であることを示す太線により囲まれる。そして、既に表示画像ＤＩに設定され、ＰＣ２Ａからの画像ＩｍＡが設定される表示領域ＡＡと、新たに出現した表示領域ＡＢとが同寸法となると、図１３（Ｄ）に示すように、表示領域ＡＢ内にＰＣ２Ｂからの画像ＩｍＢが設定及び表示され、所定時間経過後に、表示領域ＡＢを囲む太線は、非表示となる。
【００６４】
〔表示領域を伸長する場合〕
図１４は、表示領域ＡＡ〜ＡＣのうち、左端に位置する表示領域ＡＡを伸長する場合の表示画像ＤＩを示す遷移図である。
複数の表示領域が設定された表示画像ＤＩの表示中に、いずれかの表示領域を操作するリモコン５のキー５１３（図１１参照）の右側が押下された場合には、当該リモコン５に応じた操作対象の表示領域が伸長されるとともに、他の表示領域が縮小される。
例えば、図１４（Ａ）に示すように、表示領域ＡＡ〜ＡＣが左から順に略同寸法で設定された表示画像ＤＩの表示中に、リモコン５Ａのキー５１３の右側が押下された場合には、当該リモコン５Ａからプロジェクタ３Ａに、操作信号（後述する領域伸長信号）が送信される。
【００６５】
この操作信号に応じて、表示領域ＡＡが左右に伸長されるが、当該表示領域ＡＡは表示画像ＤＩの左端に位置しているため、左側への伸長が許容されず、図１４（Ｂ）に示すように、右側にのみ伸長される。この際、表示領域ＡＡは、前述の場合と同様に太線で囲まれ、表示領域ＡＢ，ＡＣは、それぞれ同じ割合で縮小されるとともに、右側に押しやられるように、表示領域ＡＢ，ＡＣの中心位置が右側に寄せられる。加えて、表示領域ＡＡに設定されるＰＣ２Ａの画像ＩｍＡは、当該表示領域ＡＡの伸長とともに伸長（拡大）されるが、操作対象でない表示領域ＡＢ，ＡＣに設定されるＰＣ２Ｂ，２Ｃの画像ＩｍＢ，ＩｍＣの倍率は変更されない。
【００６６】
更にリモコン５Ａのキー５１３の右側が押下され続けると、図１４（Ｃ）に示すように、表示領域ＡＡは、表示画像ＤＩの右側の限界位置まで拡大される。この際、表示領域ＡＢ，ＡＣは、それぞれ１ドットライン程度の寸法となる。そして、キー５１３の押下を中断すると、所定時間経過後に、表示領域ＡＡを囲む太線は非表示となる。
なお、表示領域ＡＣを操作対象とするリモコン５Ｃのキー５１３の右側が押下された場合については、リモコン５Ａのキー５１３が押下された場合と同様であるので、説明を省略する。また、表示領域ＡＡ〜ＡＣのうち、中央に位置する表示領域ＡＢを伸長する場合も、表示領域ＡＢの左右に位置する表示領域ＡＡ、ＡＣが外側に押しやられるように中心位置が表示画像ＤＩの両端側に寄せられる以外は、同様の動作を行なう。
【００６７】
〔表示領域を縮小する場合〕
図１５は、表示領域ＡＡ〜ＡＣのうち、左端に位置する表示領域ＡＡを縮小する場合の表示画像ＤＩを示す遷移図である。なお、図１５（Ａ）は、図１４（Ｃ）に示した状態と同じ状態である。
複数の表示領域が設定された表示画像ＤＩの表示中に、いずれかの表示領域を操作対象とするリモコン５のキー５１３（図１１参照）の左側が押下された場合には、前述の表示領域の伸長の場合と逆に動作し、当該操作対象の表示領域が縮小されるとともに、他の表示領域が伸長される。
【００６８】
例えば、図１５（Ａ）に示すように、表示領域ＡＡ〜ＡＣが左から順に設定された表示画像ＤＩの表示中に、リモコン５Ａのキー５１３の左側が押下された場合には、当該リモコン５Ａからプロジェクタ３Ａに操作信号（後述する領域縮小信号）が送信される。
この操作信号を応じて、表示領域ＡＡは、太線により囲まれるとともに、左右両端から縮小される。この際、表示領域ＡＡは表示画像ＤＩの左端に位置しているため、左側からの縮小が許容されず、図１５（Ｂ）に示すように、右側から左側に向かってのみ縮小され、当該表示領域ＡＡに設定されるＰＣ２Ａの画像ＩｍＡも縮小される。また、表示領域ＡＢ，ＡＣは、それぞれ同じ割合で伸長されるとともに、表示領域ＡＢ，ＡＣの中心位置が右側に寄せられる。しかしながら、表示領域ＡＢ，ＡＣに設定されるＰＣ２Ｂ，２Ｃの画像ＩｍＢ，ＩｍＣの倍率に変更はない。
【００６９】
更にキー５１３の左側が押下され続けると、表示領域ＡＡの縮小、及び、表示領域ＡＢ，ＡＣの伸長は継続され、図１５（Ｃ）に示すように、各表示領域ＡＡ〜ＡＣは略同寸法となる。この状態から更にキー５１３が押下され続けると、表示領域ＡＡの縮小、及び、表示領域ＡＢ，ＡＣの拡大は更に継続され、図示を省略するが、表示領域ＡＡは最小で１ドットラインまで縮小される。そして、キー５１３の押下が中断されると、所定時間経過後に、表示領域ＡＡを囲む太線は非表示となる。
【００７０】
なお、表示領域ＡＣを操作対象とするリモコン５Ｃのキー５１３の左側が押下された場合については、リモコン５Ａのキー５１３が押下された場合と同様であるので、説明を省略する。また、表示領域ＡＡ〜ＡＣのうち、中央に位置する表示領域ＡＢを縮小する場合も同様に、当該操作対象の表示領域ＡＢが当該表示領域ＡＢの中央を中心として縮小されるとともに、表示領域ＡＡ，ＡＣの中心位置が表示画像ＤＩの中央に寄るように、当該表示領域ＡＡ，ＡＣが伸張される。
【００７１】
〔表示領域内の画像を拡大及び縮小する場合〕
図１６は、表示領域ＡＡ〜ＡＣのうち、左端に位置する表示領域ＡＡに設定される画像ＩｍＡを伸縮する場合の表示画像ＤＩを示す遷移図である。
表示画像ＤＩに含まれる表示領域を操作対象とするリモコン５のキー４１２（図１１参照）の右側が押下された場合には、前述の表示システム１と同様に、当該表示領域内の画像のみ伸長（拡大）される。
例えば、図１６（Ａ）に示すように、表示領域ＡＡにＰＣ２Ａからの画像ＩｍＡが設定された表示画像ＤＩの表示中に、リモコン５Ａのキー４１２の右側が押下された場合には、図１６（Ｂ）に示すように、太線で囲まれた表示領域ＡＡ内の画像ＩｍＡが、当該画像ＩｍＡの中央を中心として拡大（ズームイン）される。この際、表示領域ＡＡのサイズに変更はない。更に、キー４１２の右側が押下され続けると、当該画像ＩｍＡは限界まで拡大される。そして、キー４１２の押下が中断されると、所定時間経過後に、表示領域ＡＡを囲む太線は非表示となる。なお、この間、他の表示領域ＡＢ，ＡＣにおいては、変化はない。
【００７２】
一方、リモコン５のキー４１２の左側が押下された場合には、前述の表示システム１と同様に、当該リモコン５による操作対象の表示領域内の画像が縮小される。
例えば、図１６（Ｃ）に示した状態から、リモコン５Ａのキー４１２の左側が押下された場合には、図１６（Ｂ）に示した状態となるように、表示領域ＡＡが太線で囲まれるとともに、画像ＩｍＡの中央を中心として、当該画像ＩｍＡが縮小（ズームアウト）される。そして、更にキー４１２の左側が押下され続けると、図１６（Ａ）に示したように、当該画像ＩｍＡは限界まで縮小される。そして、キー４１２の押下が中断されると、所定時間経過後に表示領域ＡＡを囲む太線は非表示となる。なお、前述の拡大の場合と同様に、他の表示領域ＡＢ，ＡＣにおいては、変化はない。
【００７３】
〔表示領域内の画像の位置を移動させる場合〕
図１７は、表示領域ＡＡ〜ＡＣのうち、左端に位置する表示領域ＡＡに設定される画像ＩｍＡの位置を移動する場合の表示画像ＤＩを示す遷移図である。
表示画像ＤＩに含まれる表示領域を操作対象とするリモコン５のキー４１１（図１１参照）が押下された場合には、前述の表示システム１と同様に、当該キー４１１の押下方向に応じて、当該表示領域内の画像が移動される。このような画像の移動は、前述の表示領域内の画像の縮小がなされるなどして、当該表示領域に対応するＰＣから供給される画像の一部が、当該表示領域内に設定されている場合に限られる。
【００７４】
例えば、図１７（Ａ）に示すように、ＰＣ２Ａからの画像（供給画像）における一部の領域の画像である部分画像ＩｍＡ１が表示領域ＡＡに設定された表示画像ＤＩの表示中に、リモコン５Ａのキー４１１における右斜め下の領域が押下された場合には、供給画像において部分画像ＩｍＡ１が占める領域が、当該部分画像ＩｍＡ１の中央を中心として右斜め下に移動される。これにより、図１７（Ｂ）に示すように、表示領域ＡＡ内には、供給画像において図１７（Ａ）で示した領域より右斜め下の領域の部分画像ＩｍＡ１が表示される。更にキー４１１が同方向に押下され続けた場合には、図１７（Ｃ）に示すように、供給画像において部分画像ＩｍＡ１が占める領域が、限界まで同方向に移動される。なお、他の方向にキー４１１が押下された場合も同様であり、この間においても、他の表示領域（例えば、表示領域ＡＢ，ＡＣ）においては変化がない。
【００７５】
〔表示領域を移動させる場合〕
図１８は、表示領域ＡＡ〜ＡＣのうち、表示画像ＤＩにおいて表示領域ＡＡが占める領域を移動させる際の表示画像ＤＩを示す遷移図である。
表示画像ＤＩに含まれる表示領域を操作対象とするリモコン５のキー５１４（図１１参照）が押下された場合には、当該キー５１４の押下方向に応じて、表示画像ＤＩにおける当該表示領域の位置が移動される。このような表示領域の移動は、複数の表示領域が表示画像ＤＩに設定されている場合に限られる。
【００７６】
例えば、図１８（Ａ）に示すように、表示領域ＡＡ〜ＡＣが左から順に設定された表示画像ＤＩの表示中に、リモコン５Ａのキー５１４の右側が押下された場合には、図１８（Ｂ）に示すように、表示領域ＡＡと、当該表示領域ＡＡの移動方向側（キー５１４の押下方向側）に隣接する表示領域ＡＢとを合算した領域における右側に表示領域ＡＡが移動され、左側に表示領域ＡＢが移動される。この際、操作対象である表示領域ＡＡは太線で囲まれる。この図１８（Ｂ）に示した状態で、更にキー５１４の右側が押下された場合には、図１８（Ｃ）に示すように、移動した表示領域ＡＡと、当該表示領域ＡＡの右側に隣接する表示領域ＡＣとを合算した領域における右側に表示領域ＡＡが移動され、左側に表示領域ＡＣが移動される。すなわち、操作対象の表示領域ＡＡの移動方向に隣接して他の表示領域が存在する場合には、当該表示領域ＡＡと他の表示領域とが入れ替わる。
更に、図１８（Ｃ）に示した状態からキー５１４の右側が押下された場合には、表示領域ＡＡは表示画像ＤＩにおける右端に位置しているので、当該表示領域ＡＡは、表示画像ＤＩの左端に割り込まれ、他の表示領域ＡＢ，ＡＣが表示画像ＤＩにおける右側に押しやられることで、図１８（Ａ）に示した状態に戻る。
【００７７】
一方、図１８（Ａ）に示した状態から、リモコン５Ａのキー５１４の左側が押下された場合には、表示領域ＡＡは、表示画像ＤＩにおける左端に配置されているので、図１８（Ｃ）に示すように、当該表示領域ＡＡは、表示画像ＤＩにおける右端に割り込まれるとともに、表示領域ＡＢ，ＡＣが左側に押しやられる。この状態から、更にキー５１４の左側が押下されると、図１８（Ｂ）に示すように、表示領域ＡＡと、当該表示領域ＡＡの移動方向側（キー５１４の押下方向側）に隣接する表示領域ＡＣとを合算した領域における左側に表示領域ＡＡが移動され、右側に表示領域ＡＣが移動される。すなわち、表示領域ＡＡと表示領域ＡＣとの位置が入れ替わる。そして、更にキー５１４の左側が押下されると、同様に、表示領域ＡＡと表示領域ＡＢとの位置が入れ替わり、図１８（Ａ）に示す状態に戻る。
このような表示領域の移動に際しては、各表示領域の伸縮、並びに、当該表示領域内の画像の伸縮及び移動は、他のキー４１１，４１２，５１３が押下されない限り行われない。
【００７８】
以下、複数のリモコン５に対して同時に操作が行われた場合について説明する。
〔隣接する２つの表示領域に対して互いに対向する方向への拡大操作が行われた場合〕
図１９は、表示領域ＡＡ〜ＡＥのうち、互いに隣接する表示領域ＡＡ，ＡＢに対して、互いに対向する方向への伸長操作が行われた際の表示画像ＤＩを示す遷移図である。
表示画像ＤＩに含まれる複数の表示領域のうち、隣接する表示領域の伸長操作が同時に行われた場合には、当該各表示領域の境界は固定され、当該各表示領域は、それぞれ離間する方向に伸長される。
【００７９】
例えば、図１９（Ａ）に示すように、左から順に表示領域ＡＤ，ＡＥ，ＡＡ〜ＡＣが設定された表示画像ＤＩの表示中に、リモコン５Ｂのキー５１３の右側が押下された場合には、前述の場合と同様に、図１９（Ｂ）に示すように、太線で囲まれた表示領域ＡＢが左右に伸長するとともに、当該表示領域ＡＢ内の画像ＩｍＢが拡大される。この際、表示領域ＡＤ，ＡＥ，ＡＡは表示画像ＤＩにおける左側に、また、表示領域ＡＣは右側に押しやられつつ、それぞれ同じ割合で縮小される。
【００８０】
図１９（Ｂ）に示した状態から、伸長中の表示領域ＡＢの左側に隣接する表示領域ＡＡを操作対象とするリモコン５Ａのキー５１３の右側が押下された場合、図１８（Ｃ）に示すように、表示領域ＡＡと表示領域ＡＢとの境界にて、各表示領域ＡＡ，ＡＢの伸長が拮抗する。このため、各表示領域ＡＡ，ＡＢは、互いに離間する方向（表示領域ＡＡの左側と、表示領域ＡＢの右側）への伸長のみ許容される。この間においても、各表示領域ＡＣ〜ＡＥは、同じ割合での縮小が、最小１ドットラインになるまで継続される。
【００８１】
図１９（Ｃ）に示した状態から、各リモコン５Ａ，５Ｂのキー５１３の押下が所定時間継続された場合、図１９（Ｄ）に示すように、操作対象である表示領域ＡＡ，ＡＢから最も離れた表示領域ＡＤ（隣接しない表示領域ＡＤ）が、表示画像ＤＩから消える。この表示領域ＡＤは、当該表示領域ＡＤを操作対象とするリモコン５Ｄに対する操作が行われた場合に、再度表示画像ＤＩに出現する。しかしながら、当該表示領域ＡＤの出現は、リモコン５Ａ，５Ｂのキー５１３の押下が継続している間は許容されない。
【００８２】
図１９（Ｄ）に示した状態で、リモコン５Ｂのキー５１３の押下が継続されたまま、リモコン５Ａのキー５１３の押下が中断されると、表示領域ＡＡと表示領域ＡＢとの境界における伸長の拮抗が解消され、図１９（Ｅ）に示すように、表示領域ＡＢは、表示領域ＡＡに近接する側（すなわち左側）にも伸長される。そして、表示領域ＡＡが限界（１ドットライン）まで縮小されても、リモコン５Ｂのキー５１３の押下が継続された場合には、図示を省略したが、前述の表示領域ＡＤの場合と同様に、所定時間経過後、表示領域ＡＥが表示画像ＤＩから消える。なお、この状態では、表示領域ＡＢの伸長に対して拮抗する表示領域が存在しないので、リモコン５Ｅ，５Ｄの操作に応じて即座に表示領域ＡＥ，ＡＤは、表示画像ＤＩ内に出現する。
【００８３】
なお、以上の説明においては、表示画像ＤＩに５つの表示領域ＡＡ〜ＡＥが含まれる場合について説明したが、少なくとも２つの表示領域が含まれており、隣接する２つの表示領域に対してそれぞれ伸長操作が行われた場合には、前述の表示領域ＡＡ，ＡＢの場合と同様に、境界にて各表示領域の伸長が拮抗する。そして、一方の表示領域に対する伸長操作が中断された場合には、当該一方の表示領域に近接する方向への他方の表示領域の伸長が行われる。
また、隣接していない複数の表示領域に対して伸長操作が行われた場合には、当該各表示領域はそれぞれ左右方向に伸長し、当該各表示領域に挟まれる表示領域を含む他の表示領域は、限界まで縮小される。
【００８４】
〔隣接する２つの表示領域の一方に対して表示領域の伸長操作が行われ、他方に対して画像の伸長操作が行われた場合〕
図２０は、表示領域ＡＡ〜ＡＥのうち、互いに隣接する表示領域ＡＡ，ＡＢのうち、表示領域ＡＡに対して画像の伸長操作が行われ、表示領域ＡＢに対して領域の伸長操作が行われた場合の表示画像ＤＩを示す遷移図である。
表示画像ＤＩに含まれる複数の表示領域のうち、隣接する表示領域の一方に対して伸長操作が行われ、他方に対して画像の伸長、縮小及び移動のうちのいずれかが行われた場合には、それぞれ独立して当該各表示領域の操作が行われる。
【００８５】
例えば、図２０（Ａ）に示すように、左から順に表示領域ＡＤ，ＡＥ，ＡＡ〜ＡＣが設定された表示画像ＤＩの表示中に、リモコン５Ｂのキー５１３の右側が押下された場合には、前述の伸長操作の場合と同様に、図２０（Ｂ）に示すように、太線で囲まれた表示領域ＡＢの伸長、及び、当該表示領域ＡＢ内の画像ＩｍＢの伸長（拡大）が行われる。この際、表示領域ＡＤ，ＡＥ，ＡＡは表示画像ＤＩにおける左側に、また、表示領域ＡＣは右側に押しやられつつ、それぞれ同じ割合で縮小される。
図２０（Ｂ）の状態から、伸長中の表示領域ＡＢに隣接する表示領域ＡＡを操作対象とするリモコン５Ａのキー５１４の右側が押下された場合には、図２０（Ｃ）及び図２０（Ｄ）に示すように、表示領域ＡＢの伸長、及び、表示領域ＡＡ，ＡＣ〜ＡＥの縮小が継続されるとともに、太線で囲まれた表示領域ＡＡ内の画像ＩｍＡが伸長（拡大）される。
【００８６】
なお、上記では、表示領域ＡＡに対して画像を伸長する操作が行われた場合について説明したが、当該画像を縮小及び移動する操作が行われた場合についても同様である。
また、同時に操作される複数の表示領域が隣接していなくても、それぞれが独立して操作される。例えば、図２０（Ａ）の状態において、表示領域ＡＡに対して縮小操作が行われ、表示領域ＡＣに対して画像ＩｍＣの移動操作が行われた場合でも、それぞれ独立して、表示領域ＡＡの縮小、及び、表示領域ＡＣ内の画像ＩｍＣの移動が行われる。なお、この場合には、表示領域ＡＢ〜ＡＥが同じ割合で伸長される。
【００８７】
〔ＰＣからリモコンを取り外す場合〕
図２１は、表示領域ＡＡ〜ＡＣが設定されている表示画像ＤＩが表示されている際に、ＰＣ２Ｂからリモコン５Ｂが取り外された場合の当該表示画像ＤＩを示す遷移図である。
図２１（Ａ）に示すように、各ＰＣ２Ａ〜２Ｃに割り当てられた表示領域ＡＡ〜ＡＣが含まれる表示画像ＤＩの表示中に、ＰＣ２Ｂからリモコン５Ｂが取り外された場合には、図２１（Ｂ）に示すように、表示領域ＡＢが左右両端から当該表示領域ＡＢの中央に向かって狭められる。この際、当該表示領域ＡＢの左右に位置する表示領域ＡＡ，ＡＣは、それぞれ表示領域ＡＢに近接する側に向かって伸長される。この際、各表示領域ＡＡ〜ＡＣに設定された画像ＩｍＡ〜ＩｍＣの倍率に変更はない。そして、最終的に、図２１（Ｃ）に示すように、表示画像ＤＩから表示領域ＡＢは消える。
なお、ＰＣ２からリモコン５を取り外した場合には、前述のように、当該ＰＣ２からの画像の供給は停止されるので、プロジェクタ３Ａは、直前に入力した画像を表示しつつ、当該画像が設定される表示領域を表示画像ＤＩから消す。
【００８８】
〔プロジェクタの構成〕
図２２は、プロジェクタ３Ａの構成を示すブロック図である。
このプロジェクタ３Ａは、画像生成手段３５に代えて画像生成手段３５Ａを備えるほかは、プロジェクタ３と同様の構成を備えている。また、画像生成手段３５Ａは、表示画像生成部３５７に代えて表示画像生成部３５７Ａを備えるほかは、画像生成手段３５と同様の構成を備える。
【００８９】
表示画像生成部３５７Ａは、前述のアニメーション生成部３５７１、画像伸縮部３５７２及び画像位置設定部３５７３を備えるほか、領域伸縮部３５７４及び領域位置設定部３５７５を備えている。
領域伸縮部３５７４は、受信された操作信号が領域伸長信号である場合に、図１４、図１９及び図２０に示したように、表示画像領域上で、操作対象の設定領域を伸長し、他の設定領域を縮小することで、操作対象の表示領域を伸長し、他の表示領域を縮小した表示画像ＤＩを生成する。この際、領域伸縮部３５７４は、隣接する２つの表示領域が操作対象に設定され、かつ、当該各表示領域を伸長する操作信号が受信された場合には、図１９に示したように、当該各表示領域の境界を固定し、互いに離間する方向に向かって各表示領域を伸長する。
【００９０】
また、領域伸縮部３５７４は、受信された操作信号が領域縮小信号である場合に、図１５に示したように、表示画像領域上で、操作対象の設定領域を縮小し、他の設定領域を伸長することで、操作対象の表示領域を縮小し、他の表示領域を伸長した表示画像ＤＩを生成する。
なお、このような領域伸縮部３５７４は、表示画像領域に設定された設定領域が１つであり、当該設定領域、及び、この設定領域に対応する表示領域が操作対象である場合には、当該領域伸長信号及び領域縮小信号を無視する。また、領域伸縮部３５７４は、全てのリモコン５（５Ａ〜５Ｅ）から同時に領域縮小信号が受信された場合においても、当該各領域縮小信号を無視する。
【００９１】
領域位置設定部３５７５は、受信された操作信号が領域移動信号である場合に、図１８に示したように、表示画像領域に設定された操作対象の設定領域の位置を移動させることで、操作対象の表示領域の位置を移動した表示画像ＤＩを生成する。この際、領域位置設定部３５７５は、領域移動信号に含まれる表示領域の移動方向に応じて、操作対象の表示領域を移動させる。なお、領域位置設定部３５７５は、表示画像領域に設定されている設定領域が１つである場合には、領域移動信号を無視する。
【００９２】
以上説明した本実施形態の表示システム１Ａによれば、前述の表示システム１と同様の効果を奏することができるほか、以下の効果がある。
リモコン５に対する入力操作に応じて、領域伸縮信号生成部５２３が領域伸長信号及び領域縮小信号を、また、領域移動信号生成部５２４が領域移動信号を生成する。そして、これら各操作信号に基づいて、プロジェクタ３Ａにより、表示領域の伸縮及び移動が行われた表示画像ＤＩが表示される。これによれば、各ＰＣ２から供給される画像の表示状態を、当該各ＰＣ２に接続されたリモコン５により操作することができる。従って、表示画像ＤＩの表示自由度を向上することができ、より使い勝手のよい表示システム１Ａを構築することができる。
【００９３】
〔３．第３実施形態〕
次に、本発明の第３実施形態を説明する。
本実施形態に係る表示システムは、前述の表示システム１Ａと同様の構成を備えるが、当該表示システム１Ａでは、リモコン５（５Ａ〜５Ｅ）は、それぞれ対応するＰＣ２（２Ａ〜２Ｅ）に接続されていたが、本実施形態に係る表示システムでは、各リモコン５Ａ〜５Ｅがプロジェクタ３Ａに接続されている点で、当該表示システムと表示システム１Ａとは相違する。
【００９４】
図２３は、本実施形態に係る表示システム１Ｂの構成を示す図である。
表示システム１Ｂは、図２３に示すように、画像を供給する複数のＰＣ２（２Ａ〜２Ｅ）と、当該画像を含む表示画像ＤＩを表示するプロジェクタ３Ａと、当該プロジェクタ３Ａに接続される複数のリモコン５（５Ａ〜５Ｅ）とを備えている。これらリモコン５Ａ〜５Ｅには、本実施形態では、予め操作対象となる表示領域に設定される画像を供給するＰＣ２Ａ〜２Ｅとの関連付けがなされている。
【００９５】
具体的に、各リモコン５Ａ〜５Ｅには、前述の領域特定情報が予め設定されており、各リモコン５Ａ〜５Ｅは、当該領域特定情報を含む前述の操作信号をプロジェクタ３Ａに出力する。これにより、プロジェクタ３Ａは、当該領域特定情報に応じたＰＣ２からの画像の表示領域を、前述のように変動させた表示画像ＤＩを表示する。
以上説明した本実施形態の表示システム１Ｂによれば、前述の表示システム１Ａと同様の効果を奏することができる。また、画像供給装置としてのＰＣ２が、プロジェクタ３Ａから離れた位置にあっても、当該ＰＣ２から供給される画像が設定される表示領域を操作することができる。
【００９６】
なお、リモコン５は、当該リモコン５に設定された固有の識別情報を操作信号に含めて送信するようにしてもよい。この場合、プロジェクタ３Ａが、予め記憶部３５９に記憶するなどしたＰＣ２Ａ〜２Ｅの領域特定情報から、識別情報に対応する領域特定情報を取得し、当該領域特定情報に基づいてＰＣ２を特定し、当該ＰＣ２に応じた表示領域を操作対象に設定すれば、前述のように変動させた表示領域を含む表示画像ＤＩを表示することができる。
また、本実施形態においても、リモコン５は、プロジェクタ３ＡにＵＳＢ接続されるが、当該プロジェクタ３Ａに設けられたＵＳＢ端子の数が、接続されるリモコン５の数に満たない場合には、ＨＵＢを介してプロジェクタ３Ａに接続されてもよい。
【００９７】
〔４．第４実施形態〕
次に、本発明の第４実施形態を説明する。
本実施形態に係る表示システムは、前述の表示システム１Ｂと同様の構成を備えるが、当該表示システム１Ｂでは、ＰＣ２に対応する複数のリモコン５がプロジェクタ３Ａに接続されていたが、本実施形態に係る表示システムでは、１台のリモコンがプロジェクタに接続されている点で、当該表示システムと表示システム１Ｂとは相違する。
【００９８】
図２４は、本実施形態に係る表示システム１Ｃの構成を示す図である。また、図２５は、リモコン６の外観を示す図である。
表示システム１Ｃは、図２４に示すように、複数のＰＣ２（２Ａ〜２Ｅ）と、プロジェクタ３Ａと、当該プロジェクタ３Ａに接続される１台のリモコン６とを備えている。
リモコン６は、図２５に示すように、前述のリモコン５の機能の他に、キー６１５を備えて構成される。すなわち、リモコン６の操作手段６１は、キー４１１，４１２，５１３，５１４，６１５を備えている。
このキー６１５は、左側及び右側に押下可能なキーであり、リモコン６の最下部に配置される。このキー６１５は、操作対象の表示領域を切り替えるためのキーであり、表示画像ＤＩに複数の表示領域が設定されている際に有効となる。そして、当該キー６１５の左側及び右側のいずれかが入力されると、操作対象に現在設定されている表示領域に対してキー６１５の入力方向側に隣接する表示領域を、新たに操作対象に設定させる操作信号（対象設定信号）が、リモコン６から送信される。
【００９９】
図２６は、リモコン６の構成を示すブロック図である。
また、リモコン６は、前述のリモコン５の機能の他に、図２６に示すように、キー６１５に対応する対象設定信号生成部６２５を備えている。すなわち、リモコン６は、各信号生成部４２１，４２２，５２３，５２４，６２５を有する信号生成手段６２を備えている。
対象設定信号生成部６２５は、キー６１５の左側及び右側のいずれかが押下（入力）された際に、当該キー６１５の入力方向を示す情報を含む前述の対象設定信号を生成する。そして、この対象設定信号は、信号出力手段６３によりプロジェクタ３Ａに出力される。
【０１００】
プロジェクタ３Ａの操作信号受信手段３２により対象設定信号が受信されると、対象領域設定部３５６は、現在の操作対象の表示領域に対してキー６１５の入力方向側に隣接する表示領域を新たに操作対象に設定する。この際、表示画像生成部３５７Ａが、新たに操作対象に設定された表示領域を太線で囲んで、操作中（アクティブ）であることを示す。この状態では、各表示領域のサイズ及び位置に変更はなく、また、当該各表示領域に設定される画像の倍率及び位置についても変更はない。そして、操作手段６１のキー６１５以外のキーが押下されると、表示画像生成部３５７Ａは、当該キーの押下に応じて送信される操作信号に基づいて、操作対象の表示領域に対して前述の操作を行った表示画像ＤＩを生成する。
【０１０１】
図２７は、表示領域を操作対象に設定する場合の表示画像ＤＩを示す遷移図である。なお、図２７（Ａ）では、太線で囲まれてはいないものの、操作対象として表示領域ＡＡが設定されているものとする。
例えば、図２７（Ａ）に示すように、表示領域ＡＡ〜ＡＣが左から順に設定された表示画像ＤＩの表示中に、キー６１５の右側が押下された際に出力される対象設定信号が受信された場合、対象領域設定部３５６は、現在の操作対象である表示領域ＡＡの右側に隣接する表示領域ＡＢを、新たに操作対象に設定する。そして、表示画像生成部３５７Ａは、図２７（Ｂ）に示すように、表示領域ＡＢを太線で囲んだ表示画像ＤＩを生成する。
また、図２７（Ｂ）に示した状態から、更にキー６１５の右側が押下された際に出力される対象設定信号が受信された場合、対象領域設定部３５６は、表示領域ＡＢの右側に隣接する表示領域ＡＣを新たに操作対象に設定する。この際、表示画像生成部３５７Ａは、図２７（Ｃ）に示すように、表示領域ＡＣを太線で囲んだ表示画像ＤＩを生成する。
【０１０２】
一方、図２７（Ａ）に示した状態から、キー６１５の左側が押下された際に出力される対象設定信号が受信された場合、対象領域設定部３５６は、現在の操作対象である表示領域ＡＡの左側に隣接する表示領域を、新たに操作対象に設定する。この際、表示領域ＡＡは、表示画像ＤＩにおける最も左側に位置しているため、表示画像ＤＩにおける最も右側に位置する表示領域ＡＣが操作対象に設定される。そして、表示画像生成部３５７Ａは、図２７（Ｃ）に示すように、当該表示領域ＡＣを太線で囲んだ表示画像ＤＩを生成する。
また、図２７（Ｃ）に示した状態から、更にキー６１５の左側が押下された際に出力される対象設定信号が受信された場合、対象領域設定部３５６は、表示領域ＡＣの左側に隣接する表示領域ＡＢを新たに操作対象に設定し、表示画像生成部３５７Ａは、図２７（Ｂ）に示したように、表示領域ＡＢを太線で囲んだ表示画像ＤＩを生成する。
【０１０３】
なお、キー６１５の押下がされずに、操作手段６１の他のキーが押下された場合には、表示画像生成部３５７は、直前まで操作対象に設定されていた表示領域に対して、当該押下されたキーに応じた操作を行った表示画像ＤＩを生成する。この際にも、当該表示領域は太線により囲まれ、操作中であることが示される。
以上説明した本実施形態の表示システム１Ｃによれば、前述の表示システム１Ａと同様の効果を奏することができる。なお、各ＰＣ２と、リモコン６が備える構成６１〜６３を備えるプロジェクタ３Ａとにより構成される表示システムとしても、当該表示システム１Ｃと同様の画像表示及び効果を実現することが可能である。
【０１０４】
〔実施形態の変形〕
本発明は前述の実施形態に限定されるものではなく、本発明の目的を達成できる範囲での変形、改良等は本発明に含まれるものである。
前記各実施形態では、画像表示装置としてプロジェクタ３，３Ａを挙げたが、本発明はこれに限らず、液晶ディスプレイ及び有機ＥＬ（electroluminescence）ディスプレイ等、他の画像表示装置であってもよい。更に、画像供給装置としてＰＣ２を挙げたが、本発明はこれに限らず、ＤＶＤ（Digital Versatile Disc）等の記録媒体から取得された画像データを供給するプレイヤなど、他の画像供給装置であってもよい。
【０１０５】
前記各実施形態では、操作装置としてリモコン４，５，６を挙げたが、これらリモコン４，５，６の機能をＰＣ２等の画像供給装置上で実現してもよいし、画像表示装置上で実現してもよい。このような場合の操作手段としては、キーボードや操作ボタンを利用してもよいし、タッチパネルで実現してもよい。
【０１０６】
前記各実施形態では、プロジェクタ３，３Ａは、表示画像ＤＩにおいて左右方向に表示領域を配置したが、本発明はこれに限らない。例えば、表示領域を上下に配置するようにしてもよく、また、各段に複数の表示領域が配置された複数段の表示画像を生成してもよい。
【産業上の利用可能性】
【０１０７】
本発明は、表示システムに利用でき、また、当該表示システムを構成する画像表示装置、及び、当該画像表示装置を操作する操作装置に利用することができる。
【図面の簡単な説明】
【０１０８】
【図１】本発明の第１実施形態に係る表示システムの構成を示す図。
【図２】前記実施形態におけるＰＣの構成を示すブロック図。
【図３】前記実施形態におけるリモコンの外観構成を示す図。
【図４】前記実施形態におけるリモコンが接続された場合の表示画像を示す遷移図。
【図５】前記実施形態における画像を伸縮する場合の表示画像を示す遷移図。
【図６】前記実施形態における画像を移動する場合の表示画像を示す遷移図。
【図７】前記実施形態におけるリモコンが取り外された場合の表示画像を示す遷移図。
【図８】前記実施形態におけるリモコンの構成を示すブロック図。
【図９】前記実施形態におけるプロジェクタの構成を示すブロック図。
【図１０】本発明の第２実施形態に係る表示システムの構成を示す図。
【図１１】前記実施形態におけるリモコンの外観を示す図。
【図１２】前記実施形態におけるリモコンの構成を示すブロック図。
【図１３】前記実施形態におけるリモコンが接続された場合の表示画像を示す遷移図。
【図１４】前記実施形態における表示領域を伸長する場合の表示画像を示す遷移図。
【図１５】前記実施形態における表示領域を縮小する場合の表示画像を示す遷移図。
【図１６】前記実施形態における画像を伸縮する場合の表示画像を示す遷移図。
【図１７】前記実施形態における画像を移動する場合の表示画像を示す遷移図。
【図１８】前記実施形態における表示領域を移動する場合の表示画像を示す遷移図。
【図１９】前記実施形態における互いに隣接する表示領域を伸長する場合の表示画像を示す遷移図。
【図２０】前記実施形態における互いに隣接する表示領域のうち一方の表示領域の画像を伸長し、他方の表示領域を伸長する場合の表示画像を示す遷移図。
【図２１】前記実施形態におけるリモコンが取り外された場合の表示画像を示す遷移図。
【図２２】前記実施形態におけるプロジェクタの構成を示すブロック図。
【図２３】本発明の第３実施形態に係る表示システムの構成を示す図。
【図２４】本発明の第４実施形態に係る表示システムの構成を示す図。
【図２５】前記実施形態におけるリモコンの外観を示す図。
【図２６】前記実施形態におけるリモコンの構成を示すブロック図。
【図２７】前記実施形態における表示領域を操作対象に設定する場合の表示画像を示す遷移図。
【符号の説明】
【０１０９】
１，１Ａ，１Ｂ，１Ｃ…表示システム、２（２Ａ〜２Ｅ）…ＰＣ（画像供給装置）、３，３Ａ…プロジェクタ（画像表示装置）、４，５（５Ａ〜５Ｅ），６…リモコン（操作装置）、３１…データ受信手段（画像受信手段）、３２…操作信号受信手段、３５，３５Ａ…画像生成手段、４１，５１，６１…操作手段、４２，５２，６２…信号生成手段、４３，５３，６３…信号出力手段、４２１…領域内移動信号生成部、４２２…領域内伸縮信号生成部、５２３…領域伸縮信号生成部、５２４…領域移動信号生成部、３５７２…画像伸縮部、３５７３…画像位置設定部、３５７４…領域伸縮部、３５７５…領域位置設定部、Ａ，ＡＡ〜ＡＥ…表示領域、ＤＩ…表示画像。
【図１】
2010055299.tif 000003
【図２】
2010055299.tif 000004
【図３】
2010055299.tif 000005
【図４】
2010055299.tif 000006
【図５】
2010055299.tif 000007
【図６】
2010055299.tif 000008
【図７】
2010055299.tif 000009
【図８】
2010055299.tif 000010
【図９】
2010055299.tif 000011
【図１０】
2010055299.tif 000012
【図１１】
2010055299.tif 000013
【図１２】
2010055299.tif 000014
【図１３】
2010055299.tif 000015
【図１４】
2010055299.tif 000016
【図１５】
2010055299.tif 000017
【図１６】
2010055299.tif 000018
【図１７】
2010055299.tif 000019
【図１８】
2010055299.tif 000020
【図１９】
2010055299.tif 000021
【図２０】
2010055299.tif 000022
【図２１】
2010055299.tif 000023
【図２２】
2010055299.tif 000024
【図２３】
2010055299.tif 000025
【図２４】
2010055299.tif 000026
【図２５】
2010055299.tif 000027
【図２６】
2010055299.tif 000028
【図２７】
2010055299.tif 000029